(57)【要約】  眼手術キットは、液体を保持するための液槽、補助吸引チャネル、灌注チャネル、ハンドピースチャネルを定めるプライミング容器及び、ハンドピースチャネルにより保持される、眼手術ハンドピースを備える。眼手術ハンドピースは液槽内に配置される先端を有する。補助吸引チャネルにより保持される補助吸引チューブは液槽内に配置される第１の末端を有する。灌注チューブの第１の末端は液槽内の灌注チャネルにより保持される。
2013526964.tif 000002
【特許請求の範囲】
【請求項１】
眼手術キットにおいて、
液体を保持するための液槽、補助吸引チャネル、灌注チャネル及びハンドピースチャネルを定めるプライミング容器、
前記ハンドピースチャネルにより保持される眼手術ハンドピースであって、手術部位への挿入のための前記液槽内に配置される先端及び眼手術コンソールに連結して前記手術部位から液体及び組織を輸送するための吸引チューブを備えた眼手術ハンドピース、
前記補助吸引チャネルにより保持され、前記液槽内に配置される第１の末端および眼手術コンソールに連結するための第２の末端を有する、補助吸引チューブ、
及び
前記灌注チャネルにより保持され、前記液槽内に液体を供給するために前記液槽内に配置される第１の末端を有する、灌注チューブ、
を備え
プライミングシーケンスによって定められる既定の体積の液体が前記灌注チューブ、前記吸引チューブ、前記眼手術ハンドピース及び前記補助吸引チューブにより前記液槽内に供給されると、前記眼手術コンソールにより制御される液流が前記眼手術ハンドピース、前記灌注チューブ、前記吸引チューブ及び前記補助吸引チューブをプライミングするように、前記先端及び前記補助吸引チューブの前記第１の末端が前記液体に浸漬されることになる、
ことを特徴とする眼手術キット。
【請求項２】
前記プライミング容器が、前記補助吸引チャネルからの前記補助吸引チューブの離脱を阻止するための、前記補助吸引チャネルに延び込む少なくとも１つの突起を備えることを特徴とする請求項１に記載の眼手術キット。
【請求項３】
前記プライミング容器が、前記灌注チャネルからの前記灌注チューブの離脱を阻止するための、前記灌注チャネルに延び込む少なくとも１つの突起を備えることを特徴とする請求項２に記載の眼手術キット。
【請求項４】
前記補助吸引チャネル及び前記灌注チャネルのそれぞれが前記プライミング容器と一体形成されることを特徴とする請求項１に記載の眼手術キット。
【請求項５】
前記プライミング容器が少なくともある程度前記液槽内に配置された吸引クランプを備え、前記補助吸引チューブの前記第１の末端が前記吸引クランプにより着脱可能な態様で結合されることを特徴とする請求項１に記載の眼手術キット。
【請求項６】
前記灌注チューブが少なくともある程度前記液槽内に配置された灌注クランプにより着脱可能な態様で結合される輸液カニューレを含むことを特徴とする請求項５に記載の眼手術キット。
【請求項７】
前記プライミング容器に被せて配置され、よって前記液槽を囲包する、カバーをさらに備えることを特徴とする請求項１に記載の眼手術キット。
【請求項８】
前記カバーが前記プライミング容器に結合されたときに、前記吸引チューブの前記プライミング容器からの延出しを可能にするように構成された膨らみを前記カバーが定めることを特徴とする請求項７に記載の眼手術キット。
【請求項９】
前記眼手術ハンドピースチャネルが、前記眼手術ハンドピースを着脱可能な態様で結合するためのスナップ構造を有する、円錐形の少なくとも一部を定めることを特徴とする請求項１に記載の眼手術キット。
【請求項１０】
前記眼手術ハンドピースが硝子体カッターを含むことを特徴とする請求項１に記載の眼手術キット。
【請求項１１】
眼手術処置に先立ち複数本のチューブ及び手術ハンドピースをプライミングする方法において、前記方法が、
灌注チューブ、先端を有する眼手術ハンドピース及び吸引チューブ、並びに、液槽、前記灌注チューブを保持する灌注チャネル及び前記眼手術ハンドピースを保持するハンドピースチャネルを定めるプライミング容器を備えた組立済眼手術キットであって、前記先端及び前記灌注チューブの第１の末端は前記液槽内に配置されるものであるキットを提供するステップ、
前記吸引チューブの第１の末端を眼手術ポンプシステムに連結するステップ、
前記液槽内に液体を供給するため、前記灌注チューブの第２の末端を灌注液源に連結するステップ、及び
前記灌注チューブ、前記吸引チューブ及び前記手術ハンドピースを通して、前記灌注チューブ、前記吸引チューブ及び前記手術ハンドピースがプライミングされるまで、既定の体積の液体を前記液槽に押し流すためのプライミングシーケンスを開始するステップ、
を含むことを特徴とする方法。
【請求項１２】
前記組立済眼手術キットが、前記プライミング容器に被せて配置されるカバーを備え、
眼手術処置に先立ち、前記眼手術ハンドピースへのアクセスのため、前記プライミング容器に被せて配置された前記カバーを取り外すステップをさらに含むことを特徴とする請求項１１に記載の方法。
【請求項１３】
前記組立済眼手術キットが、前記プライミング容器によって定められる補助吸引チャネルにより保持される補助吸引チューブを備え、前記補助吸引チューブが前記液槽内に配置される第１の末端を有し、前記既定の体積の液体の一部が前記補助吸引チューブを通して排出されることを特徴とする請求項１１に記載の方法。
【請求項１４】
前記補助吸引チューブの前記第１の末端を第２の眼手術ハンドピースに連結するステップをさらに含むことを特徴とする請求項１３に記載の方法。
【発明の詳細な説明】
【技術分野】
【０００１】
本発明は眼手術キットに向けられる。さらに詳しくは、本開示は、眼手術処置に用い得る少なくとも１本のチューブをプライミングするための、プライミング容器を有する眼手術キットに向けられる。
【背景技術】
【０００２】
本節における表述は本開示に関する背景情報を提供するに過ぎず、従来技術を構成することにはならない。
【０００３】
眼手術処置は一般に、手術部位に及び手術部位から、すなわち患者の眼に及び患者の眼から、液体を輸送するために灌注ライン及び吸引ラインを用いる。眼手術処置を施す前に灌注ライン及び吸引ラインはライン内の空気を完全に抜くために液体で満たされる。手術助手または別の人が、眼手術処置に用いられるべきそれぞれのコンポーネント、例えば、眼手術ハンドピース、灌注チューブ及び吸引チューブ、等を包装から取り出して、眼手術ハンドピース及び様々なラインをコップまたはビーカーに挿入し、次いで灌注ラインによりコップ／ビーカーを個別に満たすことで、眼手術処置のための立上げを行うことは普通の作業である。立上げは手術助手にとって時間がかかる作業であり、いくつかの場合には灌注液がコップ／ビーカーから溢れ出すことがあり得る。
【発明の概要】
【発明が解決しようとする課題】
【０００４】
したがって、眼手術処置に用い得る灌注チューブ及び／または吸引チューブの効率的プライミングのための改善された眼手術キットが必要とされている。
【図面の簡単な説明】
【０００５】
【図１】図１は、本開示にしたがう、眼手術キットの斜視図である。
【図２】図２は、図１の眼手術キットを含む、眼手術ポンプシステムのブロック図である。
【図３】図３は、図１の眼手術キットに備えられる、補助吸引チューブの部分斜視図である。
【図４】図４は、本開示の一実施形態にしたがう輸液カニューレを含む、灌注チューブの部分斜視図である。
【図５】図５は、本開示にしたがう、眼手術キットの分解組立図である。
【図６】図６は図４の眼手術キットの断面図である。
【図７】図７は、図５に円７で指定される部分の、断面図である。
【図８】図８は、本開示にしたがう、眼手術キットの斜視図である。
【図９】図９は、図８の眼手術キットに備えられる、眼手術ハンドピースの部分断面図である。
【図１０】図１０は、図８の眼手術キットに備えられる、灌注チューブの部分斜視断面図である。
【図１１】図１１は、図８の眼手術キットに備えられる、灌注チューブの部分側断面図である。
【図１２】図１２は、図８の眼手術キットに備えられる、補助吸引チューブの部分側断面図である。
【発明を実施するための形態】
【０００６】
本明細書に示される図面は、説明の目的のためでしかなく、本開示の範囲の限定は全く目的とされていない。
【０００７】
以下の説明は本質的に例示に過ぎず、本開示、適用または用法の限定は目的とされていない。
【０００８】
本開示の一実施形態にしたがう眼手術キット１０が図１に示される。眼手術キット１０は、液体を保持するための液槽１４を定めるプライミング容器１２，眼手術ハンドピース１６，灌注チューブ１８及び補助吸引チューブ２０を備える。眼手術ハンドピース１６は手術部位への挿入のための先端２２及び手術部位から液体及び／または組織を吸引するために眼手術コンソールを結合するための吸引チューブ２４及びハンドピース１６を駆動するための圧気ライン２５を有する。眼手術ハンドピース１６は、眼手術ハンドピース１６の先端２２が液槽１４内に配置されるように、プライミング容器１２によって定められるハンドピースチャネル２６により保持される。灌注チューブ１８は灌注チャネル２８により保持され、補助吸引チューブ２０は補助吸引チャネル３０により保持される。補助吸引チューブ１８は液槽１４内に配置される第１の末端を有し、灌注チューブ１８は液槽１４内に配置される第１の末端を有する。
【０００９】
眼手術キット１０は、プライミング容器１２が眼手術ハンドピース１６，灌注チューブ１８及び補助吸引チューブ２０を保持する状態で製造業者により前もって組み立てられる。使用において、ユーザ、例えば手術助手、看護士、外科医、等が、滅菌包装(図示せず)から組立済眼手術キット１０を取り出す。図２に示されるように、ユーザは吸引チューブ２４及び補助吸引チューブ２０を眼手術コンソール３２に連結する(コンソール３２への連結は一般にカセット(図示せず)を介してなされる)。ユーザは、(同じくカセットを介して)コンソール３２に挿入された、図示されていないカセットを介する灌注液源３４への灌注チューブ１８の連結も行う。図示されるように、灌注液源３４は、眼手術コンソール３２に連結された灌注液供給チューブ３６を介して、灌注チューブ１８に連結される。他の実施形態において、灌注チューブ及び灌注液源は、灌注チューブを通って液槽に向かう液流を提供するため、異なる態様、あるいは直接的または間接的な態様で、連結され得ることは当然である。
【００１０】
吸引チューブ２０，２４及び灌注チューブ１８が図示されるように連結されると、ユーザはプライミングシーケンスを開始する。プライミングシーケンスにしたがい、眼手術コンソール３２は、灌注チューブ１８及び／または灌注液供給チューブ３０に隣接する１つないしさらに多くのプランジャーによって、灌注チューブ１８を介する液槽１４内への、既定の体積の、例えば７５ミリリットル等の、液体の供給、したがって灌注チューブ１８のプライミングを制御する。さらに、コンソール３２は液体ベントラインを開いて、吸引チューブ２０，２４及びハンドピース１６を通して、吸引チューブ２０，２４及びハンドピース１６のそれぞれが完全にプライミングされるまで、灌注液を押し流すであろう。これを効率よく達成するため、灌注液源３４をもち上げて圧力を高めることができ、あるいは灌注液源３４を、知られているように、加圧することができる。この結果、眼手術ハンドピース１６の先端２２及び補助吸引チューブ２０の第１の末端は液体、例えば平衡塩類溶液(ＢＳＳ)等に浸される。続いてまたは同時に、既定の体積の液体の一部が、眼手術コンソール３２によって与えられる負圧により、吸引チューブ２４，補助吸引チューブ２０またはハンドピース１６を介して排出される。したがって、液体の押流しまたは液体の吸引は、吸引チューブ２４，補助吸引チューブ２０，及び／またはハンドピース１６をプライミングすることができる。プライミングシーケンスが完了すると、眼手術ハンドピース１６，灌注チューブ１８及び補助吸引チューブ２０のそれぞれはプライミングされ、すなわち、実質的に無気泡であり、眼手術処置における使用の準備ができている。眼手術キット１０を前もって組み立てておくことで、立上げ時間が排除され、眼手術処置前の能率が上がる。ここで、液槽１４が必要になり得る別の手術器具及び付帯するチューブをプライミングするための液体源を提供することも好都合である。
【００１１】
さらに、眼手術コンソール３２は、プライミングシーケンスに基づいて、複数本のチューブ及びハンドピースをプライミングするための液槽１４へのまたは液槽１４からの液流を自動的に制御する。このようにすれば、プライミングシーケンスに関与するユーザは、立上げ後、溢流状態を排除しながら、眼手術コンソール３２に１つないしさらに多くの入力を与えるだけで済む。他の実施形態においては異なるレベルのユーザの関与が必要とされ得ることは当然である。一例において、ユーザは単に眼手術処置及び／または眼手術ハンドピースのタイプを示すだけであるが、別の例において、ユーザは液体の既定の体積を眼手術コンソールに入力することができる。他の実施形態において、プライミングシーケンスの自動化レベルは、少なくとも、眼手術処置、眼手術ハンドピース、手術プロトコル及び／またはユーザの１つないしさらに多くの好み、等に依存して異なり得る。一般に、吸引チューブ２０，２４がプライミングされるときに、眼手術コンソール３２は可視信号及び／または可聴信号をユーザに提供する。
【００１２】
図示されるように吸引チューブ２４及び補助吸引チューブ２０はプライミング容器１２から延びる。他の実施形態において、異なる本数の吸引チューブが用いられ得ることは当然である。例えば、本開示の少なくとも１つの実施形態においては、眼手術ハンドピースに組み込まれたただ１本の吸引チューブがプライミング容器から延びることができる。さらに、本開示の他の実施形態ではプライミング容器によって保持される灌注チューブの本数も異なることができる。眼手術キットに含まれる吸引チューブ及び／または灌注チューブの本数は、例えば、眼手術処置のタイプ、眼手術コンソールのタイプ、眼手術ハンドピースのタイプ、眼手術キットの共通属性、他の要因及び／またはこれらの様々な組合せ、等に基づくことができる。
【００１３】
図１を再び参照すれば、補助吸引チューブ２０の第１の末端は吸引クランプ３８により着脱可能な態様で結合される。吸引クランプ３８の詳細図が図３に示される。吸引クランプ３８はプライミング容器１２の下部表面上で液槽内に配置される。吸引クランプ３８は、液体が液槽１４に保持されているときに、補助吸引チューブ２０の第１の末端が液体内に保持され、浸漬されるように、補助吸引チューブ２０とスナップ嵌めまたは摩擦嵌めを形成することができる。補助吸引チューブ２０がプライミングされた後、補助吸引チューブ２０は吸引クランプ３８から取り外して、眼手術ハンドピースまたは眼手術所に用いるためのその他の適する器具に連結することができる。この特定の実施形態において、吸引クランプ３８はプライミング容器１２とともにモールド成形される。本開示の別の実施形態において、液体内浸漬のために補助吸引チューブを着脱可能な態様で連結するため、異なるタイプのクランプまたはその他の適する部材を、プライミング容器に結合するか、連結するか、プライミング容器とともにモールド成形するかまたは形成するか、あるいはプライミング容器に締結し得ることは当然である。
【００１４】
さらに、灌注チューブ１８の第１の末端は液槽１４に液体を供給するために与えられるが、液槽１４のいずれの表面にも結合されない、すなわち自由浮遊する。あるいは本開示の様々な実施形態において、灌注チューブの末端は、プライミング容器によって定められる液槽に液体が効率良く供給されることを保証するため、プライミング容器に固定態様または着脱可能態様で結合させることができる。図４に示される一実施形態において、灌注チューブ１００は液槽内に配置される末端において輸液カニューレ１０２を有する。図示されるように、輸液カニューレ１０２は、プライミング容器１０６によって定められる液槽の底面に配置された灌注クランプ１０４によって保持され得る。灌注クランプ１０４はプライミング容器１０６とともにモールド成形することができる。他の実施形態において、灌注チューブ及び／または輸液カニューレを結合するための様々な他のタイプの部材が用いられ得ることは当然である。これらのタイプの部材の１つないしさらに多くは、プライミング容器に結合するか、連結するか、プライミング容器とともにモールド成形するかまたは形成するか、あるいはプライミング容器に締結することができる。
【００１５】
図１をまた参照すれば、プライミング容器１２は灌注チャネル２８に延び込む３つの突起４０を有する。突起４０は少なくとも挿入中は灌注チューブ１８に接触し、スナップ嵌めまたは摩擦嵌めを与え、一般に眼手術キット１０の運送中、立上げ中及び／またはプライミングシーケンス中の灌注チューブ１８の移動を阻止する。同様に、プライミング容器１２は、補助吸引チャネル３０からの補助吸引チューブ２０の離脱を阻止するため、補助吸引チャネル３０に延び込む３つの突起４２を有する。本開示の他の実施形態において、タイプ、数及び／または大きさの異なる突起が用いられ得ることは当然である。さらに、プライミング容器に及び／またはプライミング容器によって定められるチャネル内に灌注チューブ及び／または吸引チューブを着脱可能態様で保持するため、異なる機械的構造がプライミング容器によって定められるか、またはプライミング容器に結合され得る。さらにまた、チャネルの形状及び／または寸法は、本明細書に開示されるチューブを保持するように構成することができる。
【００１６】
図１に示されるプライミング容器１２は概ね長方形につくられているが、異なる形状、例えば、円形、三角形、多角形、等のプライミング容器を本開示の他の実施形態において用い得ることは当然である。さらに、プライミング容器によって定められる液槽の形状はプライミング容器の形状と異なり得る。また、プライミング容器１２は真空成形熱可塑性プラスチックを含むことができる。技術上周知の、プライミング容器を作成するその他の適する材料及び／または方法は本開示の精神内にあるとみなされるべきである。
【００１７】
図５は本開示の別の実施形態にしたがう眼手術キット２００の分解組立図である。眼手術キット２００は、液槽２０４を定めるプライミング容器２０２，先端２０８を有する硝子体カッター２０６，吸引チューブ２１０，灌注液源に連結するための灌注チューブ２１２及び補助吸引チューブ２１４を備える。吸引チューブ２１０，２１４は眼手術キット２００から延び出して眼手術コンソールに、直接または間接に、連結され、灌注チューブ２１２は眼手術キット２００から延び出して灌注液源に、直接または間接に、連結される。様々な他の実施形態において、異なるタイプ、寸法及び／または形状の眼手術ハンドピースが眼手術キットに備えられ得ることは当然である。例えば、水晶体超音波吸引ハンドピースまたは水晶体超音波吸引ハンドピースを容器２０２に保持するためのチャネルを眼手術キットに備えることができる。
【００１８】
眼手術キット２００はさらにカバー２１６を備える。カバー２１６は、カバー２１６がプライミング容器２０２の少なくとも一部に適合して重なり、プライミング容器２０２の少なくとも一部と摩擦嵌めを形成するように、プライミング容器２０２に概ね相補的な形状を定める。カバー２１６は全体的に液槽２０４を囲包する。組み立てられるときに、カバー２１６は、運送中、立上げ中及び／またはプライミングシーケンス中に、硝子体カッター２１６，灌注チューブ２１２及び補助吸引チューブ２１４を保護するように配置される。カバー２１０は、硝子体カッター２１６，灌注チューブ２１２及び補助吸引チューブ２１４へのアクセスを提供するために取り外すことができる。他の実施形態において、異なる寸法及び／または形状のカバーを備え得ることは当然である。少なくとも１つの実施形態において、プライミング容器にカバーを蝶番態様で連結することができる。さらに、少なくとも１つの実施形態において、カバーは省略することができる。
【００１９】
図６は組立済の眼手術キット２００の断面図を示す。プライミング容器２００は、硝子体カッター２０６を保持するためのハンドピースチャネル２１８を定める。ハンドピースチャネル２１８は、(図５に最善に示される)リブ２２０と組み合わされて硝子体カッター２０６のスナップ保持を与え、硝子体カッター２０６の液槽２０４への滑り込みを防止する、円錐の一部の形状を有する。ハンドピースチャネル２１８はさらに、眼手術処置中の取出しのための硝子体カッター２０６へのユーザのアクセスを可能にする。
【００２０】
図７に示されるように、硝子体カッター２０６の先端２０８は液槽２０４内に配置される。ハンドピースチャネル２１８の形状が、硝子体カッター２０６の先端２０８及び／またはプライミング容器２０２への損傷を防止できるように、プライミング容器の底面への硝子体カッター２０６の接触を阻止する。プライミング容器２０２のハンドピースチャネル２１８から硝子体カッター２０６が取り外された後、硝子体カッター２０６は眼手術処置中に一度ないしさらに多く戻されることがあり得る。他の実施形態において、ハンドピースチャネルは、ハンドピースチャネル内に保持される眼手術ハンドピースの形状／寸法と相補的であるかまたは異なる形状及び／または寸法を定めることができる。ハンドピースチャネルの形状及び／または寸法は眼手術ハンドピースの、想定される、保持、挿入及び／または取り出しの態様に依存し得る。
【００２１】
図５に示されるように、カバー２１６は、カバー２１６がプライミング容器２０２に被せて配置されたときに、プライミング容器２０２に硝子体カッター２０６，灌注チューブ２１２及び補助吸引チューブ２１４を収容するための多くの膨らみ２２２を有する。カバー２１６によって定められる膨らみ２２２により、灌注チューブ２１２及び吸引チューブ２１０，２１４の眼手術キット２００からの延出しが可能になる。カバー２１６は底面２１４で支持することができる。図にさらに示されるように、硝子体カッター２０６に被さる膨らみ２２２はプライミング容器２０２によって定められる部分円錐形状に相補的な形状を定め、よって硝子体カッター２０６の、プライミング容器２０２上に配置されている間の、保持に役立つ。様々なチューブ及び／または眼手術ハンドピースの確実な収容のため、異なる数、形状及び／または構成の膨らみが他の実施形態において用いられ得ることは当然である。
【００２２】
上で説明したように、眼手術キット２００は一般に組立て済の状態でユーザに渡される。カバー２１６は、図５に概略的に示されるように、液槽２０４の外部にさらなるコンポーネントを保持するように成形される。例えば、カバー２１６はトロカール保持スロット２２６及びピンブロック保持スロット２２８を定める。トロカール保持スロット２２６は３本までのトロカールの、簡便なアクセスのための、カバー２１６による保持を可能にする。同様に、ピンブロック保持スロット２２８は、上に示したように、エントリー部位置合せ用具への簡便なアクセスのためのピンブロックの保持を提供する。本開示の他の実施形態において眼手術処置の前、処置中及び／または処置後に用いられる異なるコンポーネントがカバー及び／またはプライミング容器によって簡便な態様で保持され得ることは当然である。
【００２３】
本開示の別の実施形態にしたがう眼手術キット３００が図８に示される。眼手術キット３００は、液槽３０４を定めるプライミング容器３０２及び眼手術ハンドピース３０６を備える。図示されるように、プライミング容器３０２は、図１〜７の実施形態に比較して、眼手術ハンドピース３０６の保持のための上げられた高さ、及び灌注チューブ３０８及び補助吸引チューブ３１０の保持のための、下げられた高さを有する。例えば、２インチ(５０.８ｍｍ)、２＋(１/８)インチ(５３.９７５ｍｍ)、等の、上げられた高さにより、図９に示されるように、プライミング容器３０２で定められるハンドピースチャネル３１２による、約４５°の角度での眼手術ハンドピース３０６の保持が可能になる。十分な角度により、液槽３０４内の液体と眼手術ハンドピース３０６の本体３１６の間のおこり得る接触を制限しながら液槽内に先端３１４を配置する、眼手術ハンドピース３０６の配置が可能になる。プライミング容器及び／またはハンドピースチャネルが、眼手術ハンドピースへのユーザアクセスに影響を与えるために異なる角度で眼手術ハンドピースを保持するため、眼手術ハンドピースに液体を通しているチューブの効率的なプライミングを可能にするため、及び／または眼手術ハンドピース、例えば眼手術ハンドピースに結合されるニードル、等の保護のため、異なる高さ、寸法、形状及び／または構成を有し得ることは当然である。図９はカバー３１８を含む眼手術キット３００の部分断面を示す。
【００２４】
図８の実施形態において、眼手術ハンドピース３０６は、ハンドピースチャネル３１２の軸線に平行な方向ではなく、上方に取り外すことができ、これは一人ないしさらに多くのユーザに好まれ得る。本開示の他の実施形態において眼手術ハンドピースへのアクセスを変えるために、プライミング容器の大きさ、寸法及び／または諸元が異なり得ることは当然である。
【００２５】
さらに、液槽３０４は、一般にはプライミングシーケンスで定められる既定の体積をこえる体積のＢＳＳを保持するように構成される。本開示の様々な実施形態に対し、プライミング容器で定められる液槽の容量は、例えば寸法及び／または形状等を変えることにより、異なり得る。容量は一般に液槽内に配置された吸引チューブのそれぞれをプライミングするに十分な、例えば７５ミリリットル等の、液体を保持するように選ばれる。プライミング容器の寸法及び／形状が、例えば液槽内に配置されたチューブ内の液流に影響するように異なる液体体積を提供するためにも、異なり得ることも当然である。
【００２６】
図１０〜１１は、灌注チューブ３０８を保持するためにプライミング容器３０２に備えられ、灌注チャネル３２２に延び込む、突起３２０の詳細図を与える。同様に、図１２に示されるように、プライミング容器に備えられる突起３２４が補助吸引チューブ３１０を保持するために補助吸引チャネル３２６に延び込む。本開示の別の実施形態において異なるタイプ、寸法、数及び／または形状の突起が用いられ得ることは当然である。さらにまたはあるいは、プライミング容器に被せて配置されるカバーは、運送中及び／またはプライミングシーケンス中の灌注チューブ及び／または吸引チューブのプライミング容器からの離脱を阻止するため、１つないしさらに多くの突起、締結具等を備えることができる。
【００２７】
本開示のいくつかの実施形態を、眼手術キットを参照して上述したが、本開示の様々な態様は眼手術キットに限定されず、様々なその他の眼手術システム、眼手術デバイス及び眼手術方法に適用され得ることは当然である。
【００２８】
上述した教示のいずれかまたは全てを実施することにより、向上した信頼性、短縮されたダウンタイム、冗長なコンポーネントシステムの排除または低減、コンポーネントまたはシステムの不必要であるかまたは早すぎる交換、及び総システムコスト及び運用コストの低減を含む、数多くの恩恵及び利点を得ることができる。
【符号の説明】
【００２９】
１０    眼手術キット
１２    プライミング容器
１４    液槽
１６    眼手術ハンドピース
１８    灌注チューブ
２０    補助吸引チューブ
２２    ハンドピース先端
２４    吸引チューブ
２５    圧気ライン
２６    ハンドピースチャネル
２８    灌注チャネル
３０    補助吸引チャネル
３２    眼手術コンソール
３４    灌注液源
３６    灌注液供給チューブ
３８    吸引クランプ
４０，４２    突起
【図１】
2013526964.tif 000003
【図２】
2013526964.tif 000004
【図３】
2013526964.tif 000005
【図４】
2013526964.tif 000006
【図５】
2013526964.tif 000007
【図６】
2013526964.tif 000008
【図７】
2013526964.tif 000009
【図８】
2013526964.tif 000010
【図９】
2013526964.tif 000011
【図１０】
2013526964.tif 000012
【図１１】
2013526964.tif 000013
【図１２】
2013526964.tif 000014
【国際調査報告】
2013526964.tif 000015
2013526964.tif 000016